(57)【要約】    【課題】  傾斜盤における水平回動軸線よりも前方の所定箇所の下側が伸縮機構により上下動可能な状態で支持されることにより、前方に向かって上方傾斜した状態の傾斜盤に使用者が両足裏で載ってアキレス腱又はその他の部位のストレッチを行い得る、安全性の高い運動用具の提供。    【解決手段】  使用者が両足裏で共に載る傾斜盤Ｌを、前後方向中間位置において横方向の水平回動軸Ｓの回りに回動して傾斜角度が変化し得るように基体Ｂに対し支持する。傾斜盤Ｌの下側に、軸方向が前後方向である伸縮機構Ｄを有し、傾斜盤Ｌの前端部Ｌｃの下側を、後端部が水平回動軸Ｓの下方で基体Ｂに連結された伸縮機構Ｄの前端部Ｌｃに連結して上下動可能な状態で支持する。これにより、前方に向かって上方傾斜した状態の傾斜盤Ｌに使用者が両足裏で載ってアキレス腱又はその他の部位のストレッチを行い得る。【選択図】      図３
2018061625.tif 000002
【特許請求の範囲】
【請求項１】
使用者が両足裏で共に載った状態でアキレス腱又はその他の部位のストレッチを行い得る両足用の傾斜盤が基体に対し支持されてなる運動用具であって、
前記傾斜盤は、その傾斜盤の前後方向中間位置において、横方向の水平回動軸線の回りに回動して傾斜角度が変化し得るように基体に対し支持されており、
前記傾斜盤の下側に、軸方向が前後方向である伸縮機構を有し、
その伸縮機構は、伸縮により互いに軸方向に相対的に移動する一方部分を前側に他方部分を後側に有するものであり、
前記傾斜盤のうち前記水平回動軸線よりも前方の所定箇所の下側が、前記他方部分が前記基体のうち、前記水平回動軸線よりも下方であって、傾斜盤の前後方向中間位置の下方の部分に連結された前記伸縮機構の前記一方部分に連結されることにより、前記傾斜盤に覆われた前記伸縮機構により上下動可能な状態で支持され、
前方に向かって上方傾斜した状態の前記傾斜盤に使用者が両足裏で載ってアキレス腱又はその他の部位のストレッチを行い得るものであることを特徴とする運動用具。
【請求項２】
上記傾斜盤の所定箇所が、傾斜盤のうち足裏で載ることができる部分よりも前方である請求項１記載の運動用具。
【請求項３】
上記傾斜盤が前方に向かって上方傾斜し得る限界角度を調節する限界角度調節部を、前記傾斜盤の後部に有する請求項１又は２記載の運動用具。
【請求項４】
上記水平回動軸線の位置が、傾斜盤の前後方向中央を中心として前後方向長さの２分の１の範囲である請求項１乃至３の何れか１項に記載の運動用具。
【請求項５】
上記伸縮機構の他方部分が、基体のうち、上記水平回動軸線よりも下方であって、傾斜盤の前後方向中央を中心として前後方向長さの２分の１の範囲の下方の部分に連結されている請求項１乃至４の何れか１項に記載の運動用具。
【請求項６】
上記伸縮機構の他方部分が基体に連結されている位置が、基体のうち上記水平回動軸線の下方位置の近傍である請求項１乃至４の何れか１項に記載の運動用具。
【請求項７】
上記傾斜盤が、足裏で載ることができる部分の外周側に、足が離脱することを防止するための壁状部又は突部が、全周にわたり連続して又は間欠的に設けられたものである請求項１乃至６の何れか１項に記載の運動用具。
【発明の詳細な説明】
【技術分野】
【０００１】
本発明は、使用者が両足裏で共に載った状態でアキレス腱又はその他の部位のストレッチを行い得る両足用の傾斜盤が基体に対し支持されてなる運動用具に関する。
【背景技術】
【０００２】
特許第３１３８８８８号号公報には、使用者が両足裏で共に載った状態でアキレス腱又はその他の部位のストレッチを行い得るものとして、自動角度調整装置付伸展柔軟運動用補助具が開示されている。
【０００３】
この自動角度調整装置付伸展柔軟運動用補助具は、人が踏台に乗ったまま、踏台の角度を自動的に調整できるものであるが、モータを駆動しなければ角度を調整することができないため、必ずしも手軽な使用に適するものとは言えない。
【０００４】
伸縮ダンパを利用して傾斜盤の角度を調節することも考えられるが、リハビリ等に用いる場合にバランスを崩して伸縮ダンパに足を引っ掛けたり伸縮ダンパと別の部分との間に足が挟まったりすることにより怪我の原因となるおそれがある。
【先行技術文献】
【特許文献】
【０００５】
【特許文献１】特許第３１３８８８８号号公報
【発明の概要】
【発明が解決しようとする課題】
【０００６】
本発明は、傾斜盤における水平回動軸線よりも前方の所定箇所の下側が伸縮機構により上下動可能な状態で支持されることにより、前方に向かって上方傾斜した状態の傾斜盤に使用者が両足裏で載ってアキレス腱又はその他の部位のストレッチを行い得る、安全性の高い運動用具を提供することを目的とする。
【課題を解決するための手段】
【０００７】
(1) 使用者が両足裏で共に載った状態でアキレス腱又はその他の部位のストレッチを行い得る両足用の傾斜盤が基体に対し支持されてなる運動用具であって、
前記傾斜盤は、その傾斜盤の前後方向中間位置において、横方向の水平回動軸線の回りに回動して傾斜角度が変化し得るように基体に対し支持されており、
前記傾斜盤の下側に、軸方向が前後方向である伸縮機構を有し、
その伸縮機構は、伸縮により互いに軸方向に相対的に移動する一方部分を前側に他方部分を後側に有するものであり、
前記傾斜盤のうち前記水平回動軸線よりも前方の所定箇所の下側が、前記他方部分が前記基体のうち、前記水平回動軸線よりも下方であって、傾斜盤の前後方向中間位置の下方の部分に連結された前記伸縮機構の前記一方部分に連結されることにより、前記傾斜盤に覆われた前記伸縮機構により上下動可能な状態で支持され、
前方に向かって上方傾斜した状態の前記傾斜盤に使用者が両足裏で載ってアキレス腱又はその他の部位のストレッチを行い得るものであることを特徴とする運動用具。
【０００８】
(2) 上記傾斜盤の所定箇所が、傾斜盤のうち足裏で載ることができる部分よりも前方である上記(1)記載の運動用具。
【０００９】
(3) 上記傾斜盤が前方に向かって上方傾斜し得る限界角度を調節する限界角度調節部を、前記傾斜盤の後部に有する上記(1)又は(2)記載の運動用具。
【００１０】
(4) 上記水平回動軸線の位置が、傾斜盤の前後方向中央を中心として前後方向長さの２分の１の範囲である上記(1)乃至(3)の何れか１項に記載の運動用具。
【００１１】
(5) 上記伸縮機構の他方部分が、基体のうち、上記水平回動軸線よりも下方であって、傾斜盤の前後方向中央を中心として前後方向長さの２分の１の範囲の下方の部分に連結されている上記(1)乃至(4)の何れか１項に記載の運動用具。
【００１２】
(6) 上記伸縮機構の他方部分が基体に連結されている位置が、基体のうち上記水平回動軸線の下方位置の近傍である上記(1)乃至(4)の何れか１項に記載の運動用具。
【００１３】
(7) 上記傾斜盤が、足裏で載ることができる部分の外周側に、足が離脱することを防止するための壁状部又は突部が、全周にわたり連続して又は間欠的に設けられたものである上記(1)乃至(6)の何れか１項に記載の運動用具。
【発明の効果】
【００１４】
本発明の運動用具によれば、傾斜盤に覆われた伸縮機構によりその傾斜盤における水平回動軸線よりも前方の所定箇所の下側が上下動可能な状態で支持されることにより前方に向かって上方傾斜した状態の傾斜盤に使用者が両足裏で載ってアキレス腱又はその他の部位のストレッチを行い得る。
【図面の簡単な説明】
【００１５】
【図１】運動器具の前方斜視図である。
【図２】運動器具の後方斜視図である。
【図３】運動器具の下部後方拡大斜視図である。
【図４】傾斜盤が前方に下降傾斜して受止された状態の運動器具の下部後方拡大斜視図である。
【図５】運動器具の下部前方拡大斜視図である。
【図６】傾斜盤が前方に大きく上方傾斜した状態の運動器具の下部前方拡大斜視図である。
【図７】限界角度調節部が別の例である運動器具の下部前方拡大斜視図である。
【図８】限界角度調節部が更に別の例である運動器具の下部前方拡大斜視図である。
【図９】図８の例の運動器具の下部前方拡大斜視図である。
【図１０】図８の例の運動器具の下部前方拡大斜視図である。
【図１１】図８の例の運動器具の下部後下方拡大斜視図である。
【発明を実施するための形態】
【００１６】
[1] 本発明の実施の形態
【００１７】
本発明の実施の形態を、図面を参照しつつ説明する。
【００１８】
図面は何れも本発明の運動器具の実施の形態の例についてのものである。
【００１９】
本発明の運動用具は、使用者が両足裏（履物又は靴下を履いている場合は履物又は靴下裏）で共に載った状態でアキレス腱又はその他の部位のストレッチを行い得る両足用の傾斜盤Ｌが基体Ｂに対し支持されてなるものである。
【００２０】
(1) 本発明の運動用具は、使用者が使用中又は乗り降りの際にバランスを崩すことを防ぐ上で、正面前方の両側に支柱が設けられた門形フレームＨの上部が正面後方側に傾斜して上部の左右水平部が正面後方側（使用者側）に位置するものを把手部Ｈａとして設けることができる。把手部Ｈａの高さは、締め付けネジＨｂを緩めて調節することができる。
【００２１】
(2) 傾斜盤Ｌは、使用者が両足裏で共に載ってアキレス腱又はその他の部位のストレッチ運動を行い得るものである。
【００２２】
(2-1) 傾斜盤Ｌは、鋼板からなる剛性及び強度が比較的高い基盤体Ｌｄ上に合成樹脂の上載体Ｌｘが結合してなる。
【００２３】
(2-2) 傾斜盤Ｌの上載体Ｌｘにおける足裏で載ることができる載用部Ｌａの外周側には、足が離脱することを防止するための壁状部Ｌｂが全周にわたり連続して設けられている。
【００２４】
(3) 傾斜盤Ｌは、前後方向中間位置において、横方向（傾斜盤Ｌの前後方向に対し直交する方向）の水平回動軸Ｓの回りに回動して傾斜角度が変化し得るように基体Ｂに対し支持されている。水平回動軸Ｓの位置は、傾斜盤Ｌの前後方向の中央部である。
【００２５】
(4) 傾斜盤Ｌの下側には、軸方向が前後方向である伸縮機構Ｄ（伸縮ダンパ）を有する。
【００２６】
(4-1) 伸縮機構Ｄは、伸縮により互いに軸方向に相対的に移動する一方部分Ｄａを前側に他方部分Ｄｂを後側に有し、軸方向において伸縮し得、伸縮させる外力対し、伸縮速度に対し比例的に抵抗力が増大する抵抗力を生じ、短縮状態においては自己伸張力を発生する。
【００２７】
(4-2) 伸縮機構Ｄの前記一方部分Ｄａは、前記傾斜盤Ｌの前端部Ｌｃの下側を支持している。
【００２８】
伸縮機構Ｄの前記他方部分Ｄｂは、基体Ｂのうち水平回動軸Ｓの下方位置のやや前の位置に連結されている。
【００２９】
(5) これにより、傾斜盤Ｌの前端部Ｌｃは、傾斜盤Ｌに覆われた伸縮機構Ｄにより、上下動可能な状態で基体Ｂに対し支持され、前方に向かって上方傾斜した状態の傾斜盤Ｌに使用者が両足裏で載ってアキレス腱又はその他の部位のストレッチを行い得る。もし傾斜盤Ｌを前方へ下降傾斜させた場合は、最終的には基体の前端部に上向きに設けられたゴム製の受止部Ｂａにより受止される。
【００３０】
なお、この運動用具は、傾斜盤Ｌに使用者が両足裏で載った状態で、前方に向かって傾斜盤Ｌを下降傾斜させる運動等を伸縮機構Ｄによる負荷を利用しつつ行うこともできる。
【００３１】
(6) この運動用具は、傾斜盤Ｌが前方に向かって上方傾斜し得る限界角度を調節する限界角度調節部Ｊを有し、傾斜盤Ｌに使用者が両足裏で載ってアキレス腱又はその他の部位のストレッチを行う際の傾斜盤Ｌの前方に向かう上方傾斜角度を、限界角度調節部Ｊで調節することにより、使用者の特性に応じたストレッチ運動を行うことができる。
【００３２】
限界角度調節部Ｊは、傾斜盤Ｌの後端部の左右方向中央部の一箇所に設けられているので、使用中に、介助者等が使用者の特性に応じて傾斜盤Ｌの前方に向かう上方傾斜角度を限界角度調節部Ｊで調節することを行い易い。
【００３３】
図１乃至図６における限界角度調節部Ｊは、傾斜盤Ｌの後端中央部に、下方に突出する上側筒状部Ｐａを設け、その上側筒状部Ｐａに挿入される下側筒状部Ｐｂを摺動可能に設け、それらの上側筒状部Ｐａと下側筒状部Ｐｂの側周壁に対応する貫通孔を軸線方向間隔おきに設け、上側筒状部Ｐａに対し下側筒状部Ｐｂを摺動させて両者の全長を調節して両者の貫通孔を一致させた状態で挿通体Ｐｃ（ボールロックピン）をそれらの貫通孔に貫通させることにより、床面等に対する上側筒状部Ｐａの高さを調節及び固定し、傾斜盤Ｌの前方に向かう上方傾斜角度を調節できるものである。傾斜盤Ｌの載用部Ｌａに対する上側筒状部Ｐａと下側筒状部Ｐｂの角度は、傾斜盤Ｌが前方に向かって上向きに傾斜する状態で下側筒状部Ｐｂができるだけ床面等の載置面に対し９０度に近く安定性が良好なものとする上で、９０度よりもやや後方に開いた角度としている。
【００３４】
図７の限界角度調節部Ｊは、図１乃至図６における下側筒状部Ｐｂの側周壁に、貫通孔ではなく外方に弾性的に突出して外周側の上側筒状部Ｐａの任意の貫通孔に嵌合し得る弾性突出部Ｐｄを設けることにより、上側筒状部Ｐａに対し下側筒状部Ｐｂを摺動させて両者の全長を調節し、床面等に対する上側筒状部Ｐａの高さを調節及び固定して、傾斜盤Ｌの前方に向かう上方傾斜角度を調節できるものである。
【００３５】
図８乃至図１１の限界角度調節部Ｊは、高さの異なる上面支持部Ｒａを垂直回転軸の回りの周方向の異なる位置に複数設けた支持体Ｒの何れかの上面支持部Ｒａを選んで、傾斜盤Ｌの後端中央部の下方突起部Ｌｅを支持し得る位置に支持体Ｒを回転させることにより、傾斜盤Ｌの前方に向かう上方傾斜角度を調節できるものである。支持体Ｒは、基体Ｂの中央部後方の張出部Ｂｂに設けた支持軸部Ｂｃの回りに回転し得るものとしている。
【００３６】
[2] 本発明の実施の形態を、上記以外の形態を含めて更に説明する。
【００３７】
本発明の運動用具は、使用者が両足裏（履物又は靴下を履いている場合は履物又は靴下裏）で共に載った状態でアキレス腱又はその他の部位のストレッチを行い得る両足用の傾斜盤が基体に対し支持されてなるものである。
【００３８】
(1) 本発明の運動用具は、使用者が使用中又は乗り降りの際にバランスを崩すことを防ぐ上で、支柱や柵やフレーム等の支持構造部により支持された又はそれらの一部である把手部や手すり部やつかまり部等の把持部を設けることが好ましい。またこれらは高さを調節できることが望ましい。
【００３９】
例えば、正面前方の両側に支柱が設けられた門形フレームの上部が正面後方側に傾斜して上部の左右水平部が正面後方側（使用者側）に位置するものを把手部として設けることができる。
【００４０】
また例えば、支柱等により上方に支持された把手部を、円柱状又はその他の柱状外形の上下の両左右水平部及び左右の両略上下方向部を有し、上左右水平部よりも下左右水平部が正面後方側（使用者側）に位置し、左右の両略上下方向部は下方に向かって正面後方側に傾斜しているものとして、使用者が乗り降りする際や使用して運動している間に把持し易くすることができる。また左右の両略上下方向部は、前記支柱等よりも前方に向かって傾斜しているものとすることができる。
【００４１】
(2) 傾斜盤は、使用者が両足裏で共に載ってアキレス腱又はその他の部位のストレッチ運動を行い得るものである。
【００４２】
(2-1) 傾斜盤は、このようなストレッチ運動を行う上で十分な強度や剛性が必要であると共に、使用者が裸足や靴下のみを履いた状態で載るのに適したもの（例えば、季節により冷え過ぎたり熱過ぎたりせず、あまり硬さがなく、柔らかすぎることもないもの）であることが好ましい。
【００４３】
傾斜盤は一体をなすもののほか、例えば、鋼板等又は合成樹脂からなる剛性及び強度が比較的高い基盤体上に合成樹脂又はその他の裸足や靴下のみを履いた状態で載るのに適した材料からなる上載体が結合してなるものとすることができる。
【００４４】
(2-2) 傾斜盤は、例えば上載体において、足裏で載ることができる載用部の外周側に、足が離脱することを防止するための壁状部又はその他の突部を有するものとすることができる。このような壁状部又はその他の突部は、全周にわたり連続して又は間欠的に設けることができるが、これに限るものではない。
【００４５】
(3) 傾斜盤は、前後方向中間位置において、横方向（傾斜盤の前後方向に対し直交又はほぼ直交する方向）の水平回動軸線の回りに回動して傾斜角度が変化し得るように基体に対し支持されている。
【００４６】
(3-1) 水平回動軸線の位置は、傾斜盤の前後方向の中央部、又は、傾斜盤の前後方向中央を中心として例えば前後方向長さの２分の１（従って前後４分の１ずつ）の範囲、好ましくは３分の１又は４分の１の範囲とすることができる。
【００４７】
(3-2) 基体は、例えば、床面等に載置されて支持基盤部や支持構造部等を安定的に支持し得るフレームとすることができるが、これに限るものではない。
【００４８】
(4) 傾斜盤の下側には、軸方向が前後方向である伸縮機構を有する。
【００４９】
(4-1) 伸縮機構は、伸縮により互いに軸方向に相対的に移動する一方部分を前側に他方部分を後側に有する。
【００５０】
伸縮機構としては、例えば、軸方向において伸縮し得、伸縮させる外力対し抵抗力を生じ、短縮状態においては自己伸張力を発生するものを用いることができる。伸縮機構として好ましいのは、伸縮速度に対し比例的に抵抗力が増大するもの、例えば伸縮ダンパである。
【００５１】
(4-2) 伸縮機構の前記一方部分は、前記傾斜盤のうち前記水平回動軸線よりも前方の所定箇所の下側を支持している。
【００５２】
傾斜盤の前記所定箇所は、伸縮機構の全長やストロークを確保する上で、できるだけ前方、例えば傾斜盤の前端部であることが好ましい。
【００５３】
伸縮機構の前記他方部分は、傾斜盤の前方側に対する上方支持力をできるだけ発揮する上で、基体のうち、前記水平回動軸線よりも下方であって、傾斜盤の前後方向中間位置の下方の部分に連結されている。
【００５４】
この傾斜盤の前後方向中間位置は、傾斜盤の前後方向の中央部、又は、傾斜盤の前後方向中央を中心として例えば前後方向長さの２分の１（従って前後４分の１ずつ）の範囲、好ましくは３分の１又は４分の１の範囲とすることができる。
【００５５】
伸縮機構の前記他方部分が基体に連結されている位置は、基体のうち前記水平回動軸線の下方位置の近傍とすることができるが、これに限るものではない。
【００５６】
(5) これにより、傾斜盤の前記所定箇所は、傾斜盤に覆われた伸縮機構により、上下動可能な状態で基体に対し支持され、前方に向かって上方傾斜した状態の傾斜盤に使用者が両足裏で載ってアキレス腱又はその他の部位のストレッチを行い得る。
【００５７】
なお、本発明の運動用具は、傾斜盤に使用者が両足裏で載った状態で、前方に向かって傾斜盤を下降傾斜させる運動等の他の運動を行うことができるものであってもよい。
【００５８】
(6) 本発明の運動用具は、傾斜盤が前方に向かって上方傾斜し得る限界角度を調節する限界角度調節部を有するものとすることができる。
【００５９】
傾斜盤に使用者が両足裏で載ってアキレス腱又はその他の部位のストレッチを行う際の傾斜盤の前方に向かう上方傾斜角度を、限界角度調節部で調節することにより、使用者の特性に応じたストレッチ運動を行うことができる。
【００６０】
限界角度調節部は、一箇所に有するものとして一箇所で調節可能とすることが好ましいが、必ずしもこれに限るものではない。
【００６１】
(6-1) この限界角度調節部は、傾斜盤の後部（好ましくは後端部、例えば後端部の左右方向中央部）に有するものとして、使用中に、介助者等が使用者の特性に応じて傾斜盤の前方に向かう上方傾斜角度を限界角度調節部で調節し易くすることが望ましい。
【００６２】
(6-2) 限界角度調節部の例としては、傾斜盤の後端中央部等に、下方に突出する上側筒状部を設け、その上側筒状部との間で一方が他方に対し挿入される下側筒状部を摺動可能に設け、それらの上側筒状部と下側筒状部の側周壁に対応する貫通孔を軸線方向間隔おきに設け、上側筒状部に対し下側筒状部を摺動させて両者の全長を調節して両者の貫通孔を一致させた状態でボールロックピン等の挿通体をそれらの貫通孔に貫通させることにより、床面等に対する上側筒状部の高さを調節及び固定し、傾斜盤の前方に向かう上方傾斜角度を調節できるものを挙げることができる。傾斜盤の載用部に対する上側筒状部と下側筒状部の角度は、傾斜盤が前方に向かって上向きに傾斜する状態で下側筒状部ができるだけ床面等の載置面に対し９０度に近く安定性が良好なものとする上で、９０度よりもやや後方に開いた角度とすることが好ましい。
【００６３】
また、これらの上側筒状部と下側筒状部のうち他方に対し挿入されるものの側周壁に、貫通孔ではなく外方に弾性的に突出して外周側の上側筒状部又は下側筒状部の任意の貫通孔に嵌合し得るものを設けることにより、上側筒状部に対し下側筒状部を摺動させて両者の全長を調節し、床面等に対する上側筒状部の高さを調節及び固定して、傾斜盤の前方に向かう上方傾斜角度を調節できるものを挙げることもできる。
【００６４】
或いは、高さの異なる上面支持部を垂直回転軸の回りの周方向の異なる位置に複数設けた支持体の何れかの上面支持部を選んで、傾斜盤の後端中央部等の一部又は下方突起部等を支持し得る位置に支持体を回転させることにより、傾斜盤の前方に向かう上方傾斜角度を調節できるものを挙げることもできる。
【符号の説明】
【００６５】
Ｂ      基体
Ｂａ    受止部
Ｂｂ    張出部
Ｂｃ    支持軸部
Ｄ      伸縮機構
Ｄａ    一方部分
Ｄｂ    他方部分
Ｈ      門形フレーム
Ｈａ    把手部
Ｈｂ    締め付けネジ
Ｊ      限界角度調節部
Ｌ      傾斜盤
Ｌａ    載用部
Ｌｂ    壁状部
Ｌｃ    前端部
Ｌｄ    基盤体
Ｌｅ    下方突起部
Ｌｘ    上載体
Ｐａ    上側筒状部
Ｐｂ    下側筒状部
Ｐｃ    挿通体
Ｐｄ    弾性突出部
Ｒ      支持体
Ｒａ    上面支持部
Ｓ      水平回動軸
【図１】
2018061625.tif 000003
【図２】
2018061625.tif 000004
【図３】
2018061625.tif 000005
【図４】
2018061625.tif 000006
【図５】
2018061625.tif 000007
【図６】
2018061625.tif 000008
【図７】
2018061625.tif 000009
【図８】
2018061625.tif 000010
【図９】
2018061625.tif 000011
【図１０】
2018061625.tif 000012
【図１１】
2018061625.tif 000013